(57)【要約】【課題】複数の周波数を用いて情報の書き込み及び読み出しが可能なＩＣチップに接続されるＲＦ−ＩＤ用アンテナであって、ＩＣチップにて情報の書き込み及び読み出しが可能な複数の周波数のうち任意の周波数に共振する。【解決手段】  １３．５６ＭＨｚの周波数に共振するアンテナ部１１１と、２．４５ＧＨｚの周波数に共振するアンテナ部１１２と、９５０ＭＨｚの周波数に共振するアンテナ部１１３とを、ＩＣチップ１０１が接続されるランド部１０３ａ，１０３ｂに接続されるようにベース基材１０２上に形成する。【選択図】図１
2005252853.tif 000002
【特許請求の範囲】
【請求項１】
複数の周波数を用いて情報の書き込み及び読み出しが可能なＩＣチップに接続されるＲＦ−ＩＤ用アンテナであって、
互いに異なる周波数で共振する複数のアンテナ部が、それぞれ前記ＩＣチップに接続可能に同一平面上に形成されたＲＦ−ＩＤ用アンテナ。
【請求項２】
請求項１に記載のＲＦ−ＩＤ用アンテナにおいて、
前記複数のアンテナ部は、ＪＩＳＸ６３０１に規定されるカードサイズ以下の領域に形成されていることを特徴とするＲＦ−ＩＤ用アンテナ。
【発明の詳細な説明】
【技術分野】
【０００１】
本発明は、非接触型ＩＣカード等のＲＦ−ＩＤに用いられるＲＦ−ＩＤ用アンテナに関し、特に、複数の周波数を用いて情報の書き込み及び読み出しが可能なＩＣチップが搭載されたＲＦ−ＩＤに用いられるＲＦ−ＩＤ用アンテナに関する。
【背景技術】
【０００２】
昨今、情報化社会の進展に伴って、情報をカードに記録し、該カードを用いた情報管理や決済等が行われている。また、商品等に貼付されるラベルやタグに情報を記録し、このラベルやタグを用いての商品等の管理も行われている。
【０００３】
このようなカードやラベル、あるいはタグを用いた情報管理においては、カードやラベル、あるいはタグに対して非接触状態にて情報の書き込み及び読み出しを行うことが可能なＩＣが搭載された非接触型ＩＣカードや非接触型ＩＣラベル、あるいは非接触型ＩＣタグ等といったＲＦ−ＩＤがその優れた利便性から急速な普及が進みつつある。
【０００４】
図４は、従来の非接触型ＩＣタグの一例を示す図である。
【０００５】
本従来例は図４に示すように、樹脂や紙等からなるベース基材５０２上に、導電性のアンテナ５１０がコイル状に形成されており、このアンテナ５１０に接続されるように、非接触状態にて情報の書き込み及び読み出しが可能なＩＣチップ５０１が搭載されて構成されている。なお、ＩＣチップ５０１においては、１３．５６ＭＨｚの周波数帯にて情報の書き込み及び読み出しが可能なものであり、そのため、アンテナ５１０は、１３．５６ＭＨｚの周波数に共振するような長さ及び巻き数に設計されている。
【０００６】
上記のように構成された非接触型ＩＣタグ５００においては、１３．５６ＭＨｚの周波数帯にて情報の書き込み及び読み出しを行う情報書込／読出装置（不図示）に近接させることにより、情報書込／読出装置からの電磁誘導によりアンテナ部５１０に電流が流れ、この電流がＩＣチップ５０１に供給され、それにより、非接触状態において、情報書込／読出装置からＩＣチップ５０１に情報が書き込まれたり、ＩＣチップ５０１に書き込まれた情報が情報書込／読出装置にて読み出されたりする。
【０００７】
また、近年においては、小型化及び通信可能距離を確保するために、２．４５ＧＨｚの周波数帯を利用して通信を行う微細なＩＣチップを用いたＲＦ−ＩＤが利用されはじめている。このような微細なＩＣチップを用いたＲＦ−ＩＤにおいては、導電性のアンテナを接続することによりＩＣチップの通信可能距離を延ばすことができる。
【０００８】
図５は、２．４５ＧＨｚの周波数帯を利用して通信を行うＩＣチップが搭載された非接触型ＩＣタグの一例を示す図である。
【０００９】
本従来例は図５に示すように、樹脂や紙等からなるベース基材６０２上に、互いに直列に並ぶように所定の間隔を有して形成された２つの帯状の導体６１０ａ，６１０ｂからなるアンテナ部６１０が形成されており、この２つの導体６１０ａ，６１０ｂに接続されるように、非接触状態にて情報の書き込み及び読み出しが可能なＩＣチップ６０１が搭載されて構成されている。なお、ＩＣチップ６０１においては、２．４５ＧＨｚの周波数帯にて情報の書き込み及び読み出しが可能なものであり、そのため、アンテナ部６１０の長さは、２．４５ＧＨｚの周波数に共振するように設計されている。
【００１０】
上記のように構成された非接触型ＩＣタグ６００においては、２．４５ＧＨｚの周波数帯にて情報の書き込み及び読み出しを行う情報書込／読出装置（不図示）に近接させることにより、情報書込／読出装置からの電波によりアンテナ部６１０に電流が流れ、この電流がＩＣチップ６０１に供給され、それにより、非接触状態において、情報書込／読出装置からＩＣチップ６０１に情報が書き込まれたり、ＩＣチップ６０１に書き込まれた情報が情報書込／読出装置にて読み出されたりする。
【００１１】
また、従来より、二等辺三角形からなる２つの導体が、その頂点が空隙を介して互いに対向するように配置されてなるボウタイアンテナが利用されている。
【００１２】
図６は、一般的なボウタイアンテナを有する非接触型ＩＣタグの一例を示す図である。
【００１３】
本従来例は図６に示すように、樹脂や紙等からなるベース基材７０２上に、二等辺三角形の形状を有する２つの導体７１０ａ，７１０ｂが、二等辺三角形の等しい辺がなす頂点どうしを結んだ直線が二等辺三角形の底辺のそれぞれに対して垂直となるように、かつ、頂点どうしが空隙を有するように配置されてなるアンテナ部７１０が形成されており、この２つの導体７１０ａ，７１０ｂに接続されるように、非接触状態にて情報の書き込み及び読み出しが可能なＩＣチップ７０１が搭載されて構成されている。
【００１４】
上記のように構成された非接触型ＩＣタグ７００においては、外部に設けられた情報書込／読出装置（不図示）に近接させることにより、情報書込／読出装置からの電磁誘導によりアンテナ部７１０に電流が流れ、この電流がＩＣチップ７０１に供給され、それにより、非接触状態において、情報書込／読出装置からＩＣチップ７０１に情報が書き込まれたり、ＩＣチップ７０１に書き込まれた情報が情報書込／読出装置にて読み出されたりする。
【００１５】
ここで、上述した非接触型ＩＣタグ７００においては、図６中の、Ｂ−Ｂ’間と、Ｃ−Ｃ’間とでアンテナ部７１０の長さが異なるため、Ｂ−Ｂ’間の長さと、Ｃ−Ｃ’間の長さとのそれぞれに応じた共振点が存在することになる。さらに、アンテナ部７１０を構成する２つの導体７１０ａ，７１０ｂがそれぞれ二等辺三角形の形状を有するものであるため、アンテナ部７１０の長さは、Ｂ−Ｂ’間からＣ−Ｃ’間に渡って無段階に変化している。これにより、ＩＣチップ７０１に対する情報の書き込み及び読み出しを行うために決められた周波数に対して実際の周波数が多少ずれた場合であっても、ＩＣチップ７０１に対する情報の書き込み及び読み出しを行うことができるようになる。
【００１６】
また、このようなボウタイアンテナにおいて、二等辺三角形の等しい辺の形状を曲線状や階段状にすることにより、下限周波数を下げ、それによりさらなる広帯域なアンテナが考えられている（例えば、特許文献１参照。）。
【特許文献１】特開２００２−１３５０３７号公報
【発明の開示】
【発明が解決しようとする課題】
【００１７】
上述したように近年においてはＲＦ−ＩＤが急速に普及しており、その通信周波数として、上述した１３．５６ＭＨｚ及び２．４５ＧＨｚ、さらには、９５０ＭＨｚといった互いに異なるものが利用されている。
【００１８】
例えば、航空手荷物に装着される非接触型ＩＣタグにおいては、日本では１３．５６ＭＨｚの周波数帯を用いて通信を行うものが利用され、また、米国においてはＵＨＦ帯や２．４５ＧＨｚの周波数帯を用いて通信を行うものが利用されている。そのため、それぞれの周波数に応じた非接触型ＩＣタグを用意しなければならず、１つの非接触型ＩＣタグに対して複数の周波数を用いて情報の書き込み及び読み出しを行うことができるものが望まれていた。
【００１９】
また、ＲＦ−ＩＤは、非接触型ＩＣタグや非接触型ＩＣラベル、あるいは非接触型ＩＣタグといった様々な形態として用いられ、その用途も様々である。ここで、１３．５６ＭＨｚの周波数帯を用いて通信を行う場合、指向性が広いという利点がある反面、通信距離を長くすることが困難であるという欠点がある。また、２．４５ＧＨｚの周波数帯を用いて通信を行う場合、通信距離を容易に長くすることができるという利点がある反面、指向性が強く、また、アンテナに水分が付着した場合にその影響を受けやすいという欠点がある。
【００２０】
そのため、上述したような利点及び欠点を鑑みて、その用途に応じて、１３．５６ＭＨｚの周波数帯を用いて通信を行うＲＦ−ＩＤと、２．４５ＭＨｚの周波数帯を用いて通信を行うＲＦ−ＩＤとを使い分けることが求められるが、１つのＲＦ−ＩＤに対して複数の周波数を用いて通信を行うことができれば、複数のＲＦ−ＩＤをその用途に応じて使い分ける必要がなくなる。
【００２１】
また、上述したようなボウタイアンテナを用いた場合は、ＩＣチップに対する情報の書き込み及び読み出しを行うために決められた周波数に対して実際の周波数が多少ずれた場合であってもＩＣチップに対する情報の書き込み及び読み出しを行うことができるものの、１３．５６ＭＨｚと２．４５ＧＨｚというように周波数帯が大きく異なる場合、対応することができない。
【００２２】
本発明は、上述したような従来の技術が有する問題点に鑑みてなされたものであって、複数の周波数を用いて情報の書き込み及び読み出しが可能なＩＣチップに接続されるＲＦ−ＩＤ用アンテナであって、ＩＣチップにて情報の書き込み及び読み出しが可能な複数の周波数のうち任意の周波数に共振することができるＲＦ−ＩＤ用アンテナを提供することを目的とする。
【課題を解決するための手段】
【００２３】
上記目的を達成するために本発明は、
複数の周波数を用いて情報の書き込み及び読み出しが可能なＩＣチップに接続されるＲＦ−ＩＤ用アンテナであって、
互いに異なる周波数で共振する複数のアンテナ部が、それぞれ前記ＩＣチップに接続可能に同一平面上に形成されている。
【００２４】
また、前記複数のアンテナ部は、ＪＩＳＸ６３０１に規定されるカードサイズ以下の領域に形成されていることを特徴とする。
【００２５】
上記のように構成された本発明においては、複数の周波数を用いて情報の書き込み及び読み出しが可能なＩＣチップに対して情報の書き込みあるいは読み出しを行う場合、このＩＣチップに接続されて同一平面上に形成された複数のアンテナ部のうち、情報の書き込みあるいは読み出しを行うための周波数に共振するアンテナ部が共振し、そのアンテナ部を介してＩＣチップに対する情報の書き込みあるいは読み出しが行われる。
【発明の効果】
【００２６】
以上説明したように本発明においては、複数の周波数を用いて情報の書き込み及び読み出しが可能なＩＣチップに接続されるＲＦ−ＩＤ用アンテナにおいて、互いに異なる周波数で共振する複数のアンテナ部が、それぞれＩＣチップに接続可能に同一平面上に形成されているため、このＩＣチップに対して情報の書き込みあるいは読み出しを行う任意の周波数に共振することができる。
【００２７】
また、複数のアンテナ部が、ＪＩＳＸ６３０１に規定されるカードサイズ以下の領域に形成されているものにおいては、このＲＦ−ＩＤ用アンテナを非接触型ＩＣカードに適用することができる。
【発明を実施するための最良の形態】
【００２８】
以下に、本発明の実施の形態について図面を参照して説明する。
【００２９】
図１は、本発明のＲＦ−ＩＤ用アンテナの実施の一形態が適用された非接触型ＩＣタグの構成を示す図である。
【００３０】
本形態は図１に示すように、樹脂や紙等からなるベース基材１０２上に、導電性材料からなるコイル状のアンテナ部１１１と、アンテナ部１１１を取り囲むように互いに所定の間隔を有して形成された２つのＬ字型の導体１１２ａ，１１２ｂからなるアンテナ部１１２と、アンテナ部１１２の外部にて所定の間隔を有して形成された２つの導体１１３ａ，１１３ｂからなるアンテナ部１１３と、アンテナ部１１１〜１１３に接続された２つのランド部１０３ａ，１０３ｂとが形成され、このランド部１０３ａ，１０３ｂに接続されるようにＩＣチップ１０１が搭載されて構成されている。
【００３１】
ＩＣチップ１０１は、アンテナ部１１１〜１１３を介して非接触状態にて情報の書き込み及び読み出しが可能に構成されたものであって、１３．５６ＭＨｚ〜２．４５ＧＨｚの周波数に同期するクロックジェネレータ（不図示）が内部に設けられており、アンテナ部１１１〜１１３を介して信号が受信された場合にその信号の周波数に同期したクロックが発生し、このクロックの周波数によって情報の書き込みや読み出しが行われる。
【００３２】
また、アンテナ部１１１は、コイル形状の内部を通過する磁束によって電流が流れるものであって、１３．５６ＭＨｚの周波数で共振するようにその長さ及び巻き数が設計されている。また、コイル状のパターンの内部から外部に引き出される領域がアンテナ部１１１の他の領域と接触しないように絶縁層１０４が形成されている。
【００３３】
また、アンテナ部１１２は、所定の幅Ｗ1をそれぞれ有する２つのＬ字型の導体１１２ａ，１１２ｂからなり、２．４５ＧＨｚの周波数で共振するようにその長さが設計されている。このような形状のアンテナにおいては、その長さが、情報の書き込み及び読み出しに用いる周波数ｆaとベース基材１０２の比透磁率及び比誘電率とから求まる波長λの１／２である場合に共振し、ＩＣチップ１０１に対する情報の書き込みや読み出しが可能となる。上述した波長λは、ベース基材１０２の比透磁率をμｓ、ベース基材１０２の比誘電率をεｓとした場合、周波数ｆa及び光速ｃを用いて、λ＝ｃ／（ｆa×（μｓ×εｓ）1/2）によって一義的に求めることができる。そのため、アンテナ部１１２を２．４５ＧＨｚの周波数で共振するものとするためには、アンテナ部１１２の導体１１２ａの端部Ａから端部Ｂ及び導体１１２ｂの端部Ｂ’を通って導体１１２ｂの端部Ａ’までの長さｌ1を、ｌ1＝λ／２＝ｃ／（２×２．４５×１０9×（μｓ×εｓ）1/2）によって算出して設定すれば、ＩＣチップ１０１に対する情報の書き込みや読み出しが可能となる。なお、導体１１２ａ，１１２ｂは、それぞれ所定の幅Ｗ1を有するＬ字型であるため、導体１１２ａの端部Ａから端部Ｂ及び導体１１２ｂの端部Ｂ’を通って導体１１２ｂの端部Ａ’までの長さが、Ｌ字型に折り曲げられた内側と外側とで異なる。そのため、共振する周波数に多少の幅を持たせることができる。
【００３４】
また、アンテナ部１１３は、所定の幅Ｗ2をそれぞれ有し、２つの辺が鈍角を挟んで折れ曲がった２つの導体１１３ａ，１１３ｂからなり、９５０ＭＨｚの周波数で共振するようにその長さが設計されている。具体的には、上述したようにベース基材１０２の比透磁率をμｓ、ベース基材１０２の比誘電率をεｓとした場合、アンテナ部１１３の導体１１３ａの端部Ｃから端部Ｄ及び導体１１３ｂの端部Ｄ’を通って導体１１３ｂの端部Ｃ’までの長さｌ2を、ｌ2＝λ／２＝ｃ／（２×９５０×１０6×（μｓ×εｓ）1/2）によって算出して設定すれば、ＩＣチップ１０１に対する情報の書き込みや読み出しが可能となる。なお、導体１１３ａ，１１３ｂは、それぞれ所定の幅Ｗ2を有し、２つの辺が鈍角を挟んで折れ曲がった構成であるため、導体１１３ａの端部Ｃから端部Ｄ及び導体１１３ｂの端部Ｄ’を通って導体１１３ｂの端部Ｃ’までの長さが、鈍角を挟んで折り曲げられた内側と外側とで異なる。そのため、共振する周波数に多少の幅を持たせることができる。
【００３５】
また、アンテナ部１１２とアンテナ部１１３とは、ランド部１０３ａ，１０３ｂに接続するための領域を除いて、できるだけ離れるように形成されており、それにより、アンテナ部１１２とアンテナ部１１３とが干渉することが回避されている。
【００３６】
以下に、上記のように構成された非接触型ＩＣタグ１００に対する情報の書き込みあるいは読み出し時の動作について説明する。
【００３７】
上述した非接触型ＩＣタグ１００を、１３．５６ＭＨｚの周波数を用いて情報の書き込みあるいは読み出しを行う情報書込／読出装置（不図示）に近接させると、情報書込／読出装置のアンテナ（不図示）と非接触型ＩＣタグ１００のアンテナ部１１１とが共振し、それにより、アンテナ部１１１に電流が流れ、この電流がランド部１０３ａ，１０３ｂを介してＩＣチップ１０１に供給される。ＩＣチップ１０１においては、内部に設けられたクロックジェネレータによって、１３．５６ＭＨｚの周波数に同期するクロックが発生し、それにより、非接触状態において、情報書込／読出装置からアンテナ部１１１を介してＩＣチップ１０１に情報が書き込まれたり、ＩＣチップ１０１に書き込まれた情報がアンテナ部１１１を介して情報書込／読出装置にて読み出されたりする。
【００３８】
また、上述した非接触型ＩＣタグ１００を、２．４５ＧＨｚの周波数を用いて情報の書き込みあるいは読み出しを行う情報書込／読出装置（不図示）に近接させると、情報書込／読出装置のアンテナ（不図示）と非接触型ＩＣタグ１００のアンテナ部１１２とが共振し、それにより、アンテナ部１１２に電流が流れ、この電流がランド部１０３ａ，１０３ｂを介してＩＣチップ１０１に供給される。ＩＣチップ１０１においては、内部に設けられたクロックジェネレータによって、２．４５ＧＨｚの周波数に同期するクロックが発生し、それにより、非接触状態において、情報書込／読出装置からアンテナ部１１２を介してＩＣチップ１０１に情報が書き込まれたり、ＩＣチップ１０１に書き込まれた情報がアンテナ部１１２を介して情報書込／読出装置にて読み出されたりする。
【００３９】
また、上述した非接触型ＩＣタグ１００を、９５０ＭＨｚの周波数を用いて情報の書き込みあるいは読み出しを行う情報書込／読出装置（不図示）に近接させると、情報書込／読出装置のアンテナ（不図示）と非接触型ＩＣタグ１００のアンテナ部１１３とが共振し、それにより、アンテナ部１１３に電流が流れ、この電流がランド部１０３ａ，１０３ｂを介してＩＣチップ１０１に供給される。ＩＣチップ１０１においては、内部に設けられたクロックジェネレータによって、９５０ＭＨｚの周波数に同期するクロックが発生し、それにより、非接触状態において、情報書込／読出装置からアンテナ部１１３を介してＩＣチップ１０１に情報が書き込まれたり、ＩＣチップ１０１に書き込まれた情報がアンテナ部１１３を介して情報書込／読出装置にて読み出されたりする。
【００４０】
上述したように、本形態においては、１３．５６ＭＨｚの周波数で共振するアンテナ部１１１と、２．４５ＧＨｚの周波数で共振するアンテナ部１１２と、９５０ＭＨｚの周波数で共振するアンテナ部１１３とが同一平面となるベース基材１０２上に形成されており、ランド部１０３ａ，１０３ｂを介してこれらの全てに接続されるようにＩＣチップ１０１がベース基材１０１上に搭載されているため、１３．５６ＭＨｚの周波数を用いて情報の書き込みあるいは読み出しを行う情報書込／読出装置に近接させた場合、情報書込／読出装置のアンテナと非接触型ＩＣタグ１００のアンテナ部１１１とが共振し、また、２．４５ＧＨｚの周波数を用いて情報の書き込みあるいは読み出しを行う情報書込／読出装置に近接させた場合、情報書込／読出装置のアンテナと非接触型ＩＣタグ１００のアンテナ部１１２とが共振し、また、９５０ＭＨｚの周波数を用いて情報の書き込みあるいは読み出しを行う情報書込／読出装置に近接させた場合、情報書込／読出装置のアンテナと非接触型ＩＣタグ１００のアンテナ部１１３とが共振することになり、それにより、複数の周波数を用いて情報の書き込み及び読み出しが可能なＩＣチップ１０１に対して、アンテナ部１１１〜１１３が共振する３つの周波数のうちいずれかの周波数を用いて情報の書き込みあるいは読み出しを行うことができる。
【００４１】
（他の実施の形態）
なお、本発明は、上述した実施の形態にて示したように、互いに異なる周波数で共振する３つのアンテナ部１１１〜１１３を設け、アンテナ部１１１〜１１３が共振する３つの周波数のうちいずれかの周波数を用いてＩＣチップ１０１に対して情報の書き込みあるいは読み出しを行うものに限らず、互いに異なる周波数で共振する２つ、あるいはそれ以外の数のアンテナ部からなるものも考えられる。
【００４２】
図２は、本発明のＲＦ−ＩＤ用アンテナの他の実施の形態が適用された非接触型ＩＣタグの構成を示す図である。
【００４３】
本形態は図２に示すように、樹脂や紙等からなるベース基材２０２上に、導電性材料からなるコイル状のアンテナ部２１１と、アンテナ部２１１を取り囲むように互いに所定の間隔を有して形成された２つのＬ字型の導体２１２ａ，２１２ｂからなるアンテナ部２１２と、アンテナ部２１１，２１２に接続された２つのランド部２０３ａ，２０３ｂとが形成され、このランド部２０３ａ，２０３ｂに接続されるようにＩＣチップ２０１が搭載されて構成されている。なお、アンテナ部２１１は、１３．５６ＭＨｚの周波数で共振するようにその長さ及び巻き数が設計されており、また、アンテナ部２１２は、２．４５ＧＨｚの周波数で共振するようにその長さが設計されている。
【００４４】
このような構成とすることにより、１３．５６ＭＨｚの周波数を用いて情報の書き込みあるいは読み出しを行う情報書込／読出装置に近接させた場合、情報書込／読出装置のアンテナと非接触型ＩＣタグ２００のアンテナ部２１１とが共振し、また、２．４５ＧＨｚの周波数を用いて情報の書き込みあるいは読み出しを行う情報書込／読出装置に近接させた場合、情報書込／読出装置のアンテナと非接触型ＩＣタグ２００のアンテナ部２１２とが共振することになり、それにより、複数の周波数を用いて情報の書き込み及び読み出しが可能なＩＣチップ２０１に対して、アンテナ部２１１，２１２が共振する２つの周波数のうちいずれかの周波数を用いて情報の書き込みあるいは読み出しを行うことができる。
【００４５】
図３は、本発明のＲＦ−ＩＤ用アンテナの他の実施の形態が適用された非接触型ＩＣタグの構成を示す図である。
【００４６】
本形態は図３に示すように、樹脂や紙等からなるベース基材３０２上に、導電性材料からなるコイル状のアンテナ部３１１と、互いに所定の間隔を有して形成された２つのＬ字型の導体３１３ａ，３１３ｂからなるアンテナ部３１３と、アンテナ部３１１，３１３に接続された２つのランド部３０３ａ，３０３ｂとが形成され、このランド部３０３ａ，３０３ｂに接続されるようにＩＣチップ３０１が搭載されて構成されている。なお、アンテナ部３１１は、１３．５６ＭＨｚの周波数で共振するようにその長さ及び巻き数が設計されており、また、アンテナ部３１３は、９５０ＭＨｚの周波数で共振するようにその長さが設計されている。
【００４７】
このような構成とすることにより、１３．５６ＭＨｚの周波数を用いて情報の書き込みあるいは読み出しを行う情報書込／読出装置に近接させた場合、情報書込／読出装置のアンテナと非接触型ＩＣタグ３００のアンテナ部３１１とが共振し、また、９５０ＭＨｚの周波数を用いて情報の書き込みあるいは読み出しを行う情報書込／読出装置に近接させた場合、情報書込／読出装置のアンテナと非接触型ＩＣタグ３００のアンテナ部３１３とが共振することになり、それにより、複数の周波数を用いて情報の書き込み及び読み出しが可能なＩＣチップ３０１に対して、アンテナ部３１１，３１３が共振する２つの周波数のうちいずれかの周波数を用いて情報の書き込みあるいは読み出しを行うことができる。
【００４８】
なお、上述した実施の形態においては、本発明のＲＦ−ＩＤ用アンテナが非接触型ＩＣタグ１００，２００，３００に適用された場合を例に挙げて説明したが、非接触型ＩＣタグに限らず、非接触型ＩＣカードや非接触型ＩＣラベルについても本発明を適用することができる。例えば、図１に示したアンテナ部１１１〜１１３、図２に示したアンテナ部２１１，２１２、図３に示したアンテナ部３１１，３１３を、ＪＩＳＸ６３０１で規定されるカードサイズ以下の領域に形成しておけば、図１〜図３に示したようなＲＦ−ＩＤ用アンテナを非接触型ＩＣカードに適用することができる。
【図面の簡単な説明】
【００４９】
【図１】本発明のＲＦ−ＩＤ用アンテナの実施の一形態が適用された非接触型ＩＣタグの構成を示す図である。
【図２】本発明のＲＦ−ＩＤ用アンテナの他の実施の形態が適用された非接触型ＩＣタグの構成を示す図である。
【図３】本発明のＲＦ−ＩＤ用アンテナの他の実施の形態が適用された非接触型ＩＣタグの構成を示す図である。
【図４】従来の非接触型ＩＣタグの一例を示す図である。
【図５】２．４５ＧＨｚの周波数帯を利用して通信を行うＩＣチップが搭載された非接触型ＩＣタグの一例を示す図である。
【図６】一般的なボウタイアンテナを有する非接触型ＩＣタグの一例を示す図である。
【符号の説明】
【００５０】
１００，２００  非接触型ＩＣタグ
１０１，２０１，３０１    ＩＣチップ
１０２，２０２，３０２    ベース基材
１０３ａ，１０３ｂ，２０３ａ，２０３ｂ，３０３ａ，３０３ｂ    ランド部
１０４，２０４，３０４    絶縁層
１１１，１１２，１１３，２１１，２１２，２１３，３１１，３１２，３１３    アンテナ部
１１２ａ，１１２ｂ，２１２ａ，２１２ｂ，３１２ａ，３１２ｂ    導体
【図１】
2005252853.tif 000003
【図２】
2005252853.tif 000004
【図３】
2005252853.tif 000005
【図４】
2005252853.tif 000006
【図５】
2005252853.tif 000007
【図６】
2005252853.tif 000008